(57)【要約】【課題】スペースや、レンズ群の移動の制約を受けることなく、ズーム動作に合わせて絞り羽根を開閉させることができるズームレンズ装置を提供する。【解決手段】ズームレンズ鏡筒は、内側固定筒６と、内側固定筒６と同心同軸に配置された第１回転筒１０と、内側固定筒６に対して第１回転筒１０が回転されることにより、光軸方向に移動される複数のレンズ群と、複数のレンズ群の間に配置され、同心配置されたカム座４２及び動輪４６を備えた絞り機構４０であって、カム座４２及び動輪４６が相対的に回転されることにより中央の開口の径が変更される絞り機構４０と、を備え、さらに、固定筒に対して回転筒が回転されると回転する絞り連動リング５０を備え、絞り連動リング５０の回転は動輪４６又はカム座４２に伝達される。【選択図】図５
2020034588.tif 000002
【特許請求の範囲】
【請求項１】
固定筒と、
前記固定筒と同心同軸に配置された回転筒と、
前記固定筒に対して前記回転筒が回転されることにより、光軸方向に移動される複数のレンズ群と、
前記複数のレンズ群の間に配置され、同心配置されたカム座及び動輪を備えた絞り機構であって、前記カム座及び前記動輪が相対的に回転されることにより、中央の開口の径が変更される絞り機構と、
を備えたズームレンズ装置であって、
さらに、前記固定筒に対して前記回転筒が回転されると回転する絞り連動リングを備え、当該絞り連動リングの回転が前記動輪又はカム座に伝達される、ことを特徴とするズームレンズ装置。
【請求項２】
前記回転筒は前記固定筒の半径方向内側に配置されている、請求項１に記載のズームレンズ装置。
【請求項３】
前記回転筒は、半径の異なる複数の部位が段状に接続されてなり、
前記絞り連動リングは、前記回転筒の内側の段差部に配置されている、請求項１又は２に記載のズームレンズ装置。
【請求項４】
前記絞り連動リングは、前記固定筒に形成された第１の溝と、前記回転筒に形成された第２の溝とに係合するコマを有し、前記固定筒に対して前記回転筒が回転されることにより、前記コマが前記第１の溝及び第２の溝により案内されて、前記絞り連動リングが回転する、請求項１〜３の何れか１項に記載のズームレンズ装置。
【請求項５】
前記ズームレンズ装置はレンズ鏡筒である、請求項１〜３の何れか１項に記載のズームレンズ装置。
【発明の詳細な説明】
【技術分野】
【０００１】
本発明は、ズームレンズ装置に関する。
【背景技術】
【０００２】
ズームレンズ鏡筒に設けられた絞り装置は、複数の絞り羽根と動輪とを備え、動輪を回転させることにより、絞り羽根を開閉させて光量を調整する。近年、ズーム動作による光量の大きな変化に追従するために、ズーム動作に合わせて絞り羽根を開閉させることができるようなズームレンズ鏡筒が知られている。
【０００３】
例えば、特許文献１には、絞り機構の動輪に、カム溝が形成されたカム板を光軸方向に延びるように設け、このカム溝にレンズ群鏡筒に設けられたカムフォロアを係合させ、絞り機構に対してレンズ群鏡筒が移動することにより、動輪を回転させて絞り羽根を開閉させる装置が開示されている。
【先行技術文献】
【特許文献】
【０００４】
【特許文献１】特開２００１−８３５６５号公報
【発明の概要】
【発明が解決しようとする課題】
【０００５】
しかしながら、特許文献１に記載されたズームレンズ装置では、絞り機構から延びるカム板を設けなければならず、絞り機構を設ける際にスペースの制約を受ける。また、絞り機構を操作するために、絞り機構とレンズ群鏡筒との移動差が必要になり、レンズ群の移動に制約が生じてしまう。
【０００６】
本発明は上記の課題に鑑みなされたものであり、スペースや、レンズ群の移動の制約を受けることなく、ズーム動作に合わせて絞り羽根を開閉させることができるズームレンズ装置を提供することを目的としている。
【課題を解決するための手段】
【０００７】
本発明のズームレンズ装置は、固定筒と、固定筒と同心同軸に配置された回転筒と、固定筒に対して回転筒が回転されることにより、光軸方向に移動される複数のレンズ群と、複数のレンズ群の間に配置され、同心配置されたカム座及び動輪を備えた絞り機構であって、カム座及び動輪が相対的に回転されることにより、中央の開口の径が変更される絞り機構と、を備えたズームレンズ装置であって、さらに、固定筒に対して回転筒が回転されると回転する絞り連動リングを備え、絞り連動リングの回転が動輪又はカム座に伝達される、ことを特徴とする。
【０００８】
上記構成の本発明によれば、絞り連動リングの回転により絞り機構を開閉するため、絞り連動リングを空きスペースに配置することができ、スペースの制約を受けることがなく、また、レンズ群の移動の制約を受けることがない。
【０００９】
また、本発明において、好ましくは、回転筒は固定筒の半径方向内側に配置されている。
【００１０】
本発明の絞り連動リングは、固定筒に対して回転筒が回転されると回転する。このため、回転筒は固定筒の半径方向内側に配置されていても、絞り連動リングが回転し、絞り機構を操作することができる。
【００１１】
また、本発明において、好ましくは、回転筒は、半径の異なる複数の部位が段状に接続されてなり、絞り連動リングは、回転筒の内側の段差部に配置されている。
【００１２】
上記構成の本発明によれば、固定筒の段差部に絞り連動リングを配置し、空きスペースを有効活用することができる。
【００１３】
また、本発明において、好ましくは、絞り連動リングは、固定筒に形成された第１の溝と、回転筒に形成された第２の溝とに係合するコマを有し、固定筒に対して回転筒が回転されることにより、コマが第１の溝及び第２の溝により案内されて、絞り連動リングが回転する。
【００１４】
上記構成の本発明によれば、第１の溝及び第２の溝の形状を適宜設計することにより、各ズーム操作状態に応じた適切な絞りを実現できる。
【００１５】
また、本発明において、好ましくは、ズームレンズ装置はレンズ鏡筒である。
【発明の効果】
【００１６】
本発明によれば、スペースや、レンズ群の移動に制約が生じることなく、ズーム動作に合わせて絞り羽根を開閉させることができるズームレンズ装置を提供することができる。
【図面の簡単な説明】
【００１７】
【図１】第１実施形態のズームレンズ鏡筒を示す光軸に沿った縦断面図であり、広角状態を示す。
【図２】第１実施形態のズームレンズ鏡筒を示す光軸に沿った縦断面図であり、望遠状態を示す。
【図３】図１に示すズームレンズ鏡筒の内側固定筒及び第１回転筒を示す斜視図である。
【図４】図１に示すズームレンズ鏡筒における第１摺動筒、外筒、第２回転筒及び、固定筒を示す斜視図である。
【図５】図１に示すズームレンズ鏡筒の絞り機構の構成を示す分解斜視図である。
【図６】第２実施形態のズームレンズ鏡筒を示す光軸に沿った縦断面図であり、広角状態を示す。
【図７】第２実施形態のズームレンズ鏡筒を示す光軸に沿った縦断面図であり、望遠状態を示す。
【図８】第２実施形態のズームレンズ鏡筒の絞り機構を示す斜視分解図である。
【発明を実施するための形態】
【００１８】
以下、本発明のズームレンズ装置の一実施形態を、ズームレンズ鏡筒に適用した場合について図面を参照しながら詳細に説明する。なお、以下の説明では、ズームレンズ装置としてカメラに取り付けられて用いられるレンズ鏡筒に適用した場合について説明するが、本発明はプロジェクターのズームレンズ装置等にも適用可能である。
【００１９】
図１及び図２は、第１実施形態のズームレンズ鏡筒を示す光軸に沿った縦断面図であり、図１は広角状態を示し、図２は望遠状態を示す。
図１及び図２に示すように、本実施形態の鏡筒１は、第１レンズ群Ａ、第２レンズ群Ｂ、第３レンズ群Ｃ、第４レンズ群Ｄ、及び第５レンズ群Ｅを備える。第４レンズ群Ｄは、手振れ防止のために光軸と直交する方向へシフトされるシフトレンズ群を含む。
【００２０】
ズームレンズ鏡筒１は、カメラボディーに取り付けられるマウント２と、このマウント２に一体の外側固定筒４及び内側固定筒６と、内側固定筒６の内側に配置された第１回転筒１０と、を有する。外側固定筒４は結像側の後方外側固定筒４Ａと、被写体側の前方外側固定筒４Ｂとが接続されて構成されている。前方外側固定筒４Ｂの外周には、ズーム操作リング２２が回転可能に配置されている。また、後方外側固定筒４Ａの外周にはフォーカス操作リング２０が回転可能に配置されている。
【００２１】
図３は、図１に示すズームレンズ鏡筒の内側固定筒及び第１回転筒を示す斜視図である。同図に示すように、内側固定筒６は、被写体側の前方円筒部６Ａと、結像側の後方円筒部６Ｂとが接続されてなる。前方円筒部６Ａは後方円筒部６Ｂよりも径が大きく、前方円筒部６Ａと後方円筒部６Ｂとは段状に接続されている。また、第１回転筒１０は被写体側の前方円筒部１０Ａと、結像側の後方円筒部１０Ｃと、前方円筒部１０Ａ及び後方円筒部１０Ｃとの間の中間円筒部１０Ｂとが接続されてなる。前方円筒部１０Ａは中間円筒部１０Ｂよりも径が大きく、前方円筒部１０Ａと中間円筒部１０Ｂとは段状に接続されおり、中間円筒部１０Ｂは後方円筒部１０Ｃよりも径が大きく、中間円筒部１０Ｂと後方円筒部１０Ｃとは段状に接続されている。
【００２２】
また、図１及び図２に示すように、内側固定筒６の外側には、第２回転筒８が配置され、第２回転筒８の外側には、第１摺動筒１２が配置されている。また、第１摺動筒１２の外側、かつ、前方外側固定筒４Ｂの内側には外筒１４が配置されている。第１回転筒１０と第２回転筒８とは先端部で連結されており、第１回転筒１０及び第２回転筒８は連動して回転しながら進退する。
【００２３】
図４は、図１に示すズームレンズ鏡筒における第１摺動筒、外筒、第２回転筒及び、固定筒を示す斜視図である。
第２回転筒８の結像側端部の内面にはコマ８Ｄが立設されている。また、内側固定筒６の前方円筒部６Ａには被写体側に向かって周方向に所定の方向に傾斜するカム溝６ａが形成されている。第２回転筒８のコマ８Ｄは、内側固定筒６のカム溝６ａに嵌まり込んでいる（係合している）。これにより、ズーム操作リング２２が回転されると、ズーム操作リング２２に連動して、内側固定筒６に対して第１回転筒１０及び第２回転筒８が回転し、光軸方向に進退する。
【００２４】
外筒１４は後端部の外面に直進コマ１４Ａが形成されており、この直進コマ１４Ａは外側固定筒４の前方外側固定筒４Ｂの内面に形成された光軸方向に延びる縦溝に嵌まり込んでいる。これにより、外筒１４は、回転が拘束されるとともに、前後方向に進退可能である。
【００２５】
第１摺動筒１２は後端部の外面に直進コマ１２Ａが形成されており、この直進コマ１２Ａは外筒１４の内面に形成された光軸方向に延びる縦溝１４Ｂに嵌まり込んでいる。これにより、第１摺動筒１２は、回転が拘束されるとともに、外筒１４に対して前後方向に進退可能である。
【００２６】
第２回転筒８は外面に、被写体側に向かって所定の周方向に傾斜して延びるようにカム溝８Ａが形成されている。このカム溝８Ａには第１摺動筒１２の後端部の内面に立設されたコマ１２Ｂが嵌まり込んでいる。また、第２回転筒８の後端部には周方向に延びる横溝８Ｂが形成されている。この横溝８Ｂには、外筒１４の後端部の内面に立設されたコマ１４Ｃが嵌まり込んでいる。
【００２７】
このような構成により、第１回転筒１０に連動して第２回転筒８が回転すると、第２回転筒８は外筒１４とともに光軸方向に移動し、さらに、第１摺動筒１２が第２回転筒８に対して光軸方向に進退する。
【００２８】
図１及び図２に示すように、第１レンズ群Ａは、第１レンズ枠３０により囲まれて保持されている。第１レンズ枠３０は第１摺動筒１２の先端部の内側に取り付けられている。上述の通り、内側固定筒６に対して第１回転筒１０が回転されると、第２回転筒８が光軸方向に進退するとともに、第１摺動筒１２が第２回転筒８に対して進退する。
【００２９】
第２レンズ群Ｂは、第２レンズ枠３２により囲まれて保持されている。第２レンズ枠３２の外周面にはコマ３２Ａが立設されている。コマ３２Ａは、第１回転筒１０に形成された縦溝１０ａと、内側固定筒６のカム溝６ｃに入り込んでいる。これにより、第２レンズ枠３２は、内側固定筒６に対して第１回転筒１０が回転しながら進退すると、第１回転筒１０と連動して回転するとともに、第１回転筒１０に対して進退する。
【００３０】
第３レンズ群Ｃは、第３レンズ枠３４により囲まれて保持されている。第３レンズ枠３４の外周面にはコマ３４Ａが立設されている。コマ３４Ａは、第１回転筒１０に形成されたカム溝１０ｂに入り込んでいる。また、第３レンズ群Ｃは、第４レンズ群Ｄから延びるガイド部材（図示せず）により回転が拘束されている。これにより、第３レンズ枠３４は、内側固定筒６に対して第１回転筒１０が回転しながら進退すると、回転することなく、第１回転筒１０に対して進退するように構成されている。
【００３１】
第４レンズ群Ｄは、第４レンズ枠３６により囲まれて保持されている。第４レンズ枠３６の外周面にはコマ３６Ａが立設されている。コマ３６Ａは、第１回転筒１０に形成された横溝１０ｃと、内側固定筒６の内面に形成された縦溝（図示せず）に入り込んでいる。これにより、第１回転筒１０が内側固定筒６に対して回転しながら進退すると、第４レンズ枠３６は回転することなく、第１回転筒１０とともに進退する。
【００３２】
第５レンズ群は、第５レンズ枠３８により囲まれて保持されている。第５レンズ枠３８の外周面にはコマ３８Ａが立設されている。コマ３８Ａは、第１回転筒１０に形成されたカム溝１０ｄと、第４レンズ枠３６に形成された縦溝（図示せず）に入り込んでいる。これにより、第５レンズ枠３８は、内側固定筒６に対して第１回転筒１０が回転されると、回転することなく、第１回転筒１０に対して進退するように構成されている。
【００３３】
また、ズームレンズ鏡筒１は、第２レンズ群Ｂと第３レンズ群Ｃとの間に配置された絞り機構４０を備える。図５は、図１に示すズームレンズ鏡筒の絞り機構の構成を示す分解斜視図である。なお、図５には、説明のため、第３レンズ枠も示している。図５に示すように、絞り機構４０は、同心配置され、被写体側から順に並ぶ、絞り連動リング５０と、動輪押え４８と、動輪４６と、絞り羽根４４と、カム座４２とを備える。
【００３４】
カム座４２は、円環状のプレートからなる。カム座４２は半径方向外側に向かって所定の周方向に傾斜するような複数のカム溝４２Ａが形成されている。また、カム座４２の外周部には半径方向外側に突出する突出部４２Ｂが形成されている。カム座４２は、回動可能に第３レンズ枠３４に保持されている。
【００３５】
絞り羽根４４は、周方向に延びる複数の羽根部材４４Ａを備える。各羽根部材４４Ａの表面（図５の手前側の面）の周方向の一端には表面突部４４Ｂが形成されている。各羽根部材４４Ａは、表面突部４４Ｂを中心に回動可能に保持されている。また、各羽根部材４４Ａの裏面には裏面突部４４Ｃが形成されている。各裏面突部４４Ｃは、カム座４２のカム溝４２Ａ内に配置されている。
【００３６】
動輪４６は、円環状のプレートから構成される。動輪４６には、複数の開口部４６Ａが形成されており、各開口部４６Ａには羽根部材４４Ａの表面突部４４Ｂが嵌合している。また、動輪４６の表面にはギア４６Ｂが形成されている。
【００３７】
動輪押え４８は円環状であり、出力軸が裏面に突出するようにステッピングモータ４８Ａが設けられている。ステッピングモータ４８Ａの出力軸にはギアが取り付けられており、このギアは動輪４６のギア４６Ｂとかみ合っている。
【００３８】
絞り連動リング５０は、円環状のプレートからなり、外周に向かってコマ５０Ａが立設されている。図１及び図２に示すように、絞り連動リング５０は、第１回転筒１０の前方円筒部１０Ａと中間円筒部１０Ｂとの段状の接続部の前方円筒部１０Ａの後端部（段差部）に配置されている。絞り連動リング５０は、コマ５０Ａが、第１回転筒１０の前方円筒部１０Ａの結像側端部に周方向に延びるように形成された横溝１０ｅと、内側固定筒６に光軸方向に傾斜して延びるように形成されたカム溝６ｂに嵌まり込んで保持されている。このため、第１回転筒１０が内側固定筒６に対して回転しながら進退すると、絞り連動リング５０は第１回転筒１０に対して光軸方向に移動することなく、回転する。
【００３９】
絞り連動リング５０は結像側に向かって延びる腕部５０Ｂを備える。腕部５０Ｂはカム座４２まで延びており、カム座４２の突出部４２Ｂに係合している。このような構成により、カム座４２及び動輪４６の一方が、他方に対して回転すると、絞り羽根４４の各羽根部材４４Ａが回動し、絞り羽根４４の中央の開口の径が変更される。また、絞り連動リング５０が回転すると、絞り連動リング５０の回転が腕部５０Ｂを介してカム座４２に伝達され、カム座４２が回転する。なお、本実施形態では、絞り連動リング５０の腕部５０Ｂはカム座４２に回転を伝達するが、これに限らず、動輪４６に回転を伝達してもよい。
【００４０】
撮影時には、シャッターを半押しすると、カメラボディーの受光素子により受光された光量に応じて、ステッピングモータ４８Ａが駆動し、動輪４６が回転される。これにより、絞り羽根４４の中央の開口の径が変更される。
【００４１】
以下、本実施形態のズームレンズ鏡筒におけるズーミング操作について説明する。
ズームレンズ鏡筒１は、マウント２をカメラボディーに取り付けて使用される。マウント２をカメラボディーに取り付けることにより、外側固定筒４及び内側固定筒６がカメラボディーに対して固定される。ズーム操作は、ズーム操作リング２２を回転させることにより行うことができる。ズーム操作リング２２を回転させると、これと連動して第１回転筒１０及び第２回転筒８が回転する。
【００４２】
第１回転筒１０が内側固定筒６に対して回転されると、第１回転筒１０は光軸方向に移動する。また、第１回転筒１０が内側固定筒６に対して回転されると、第２、第３、第４、第５レンズ枠３２、３４、３６、３８がそれぞれ、光軸方向に移動する。
【００４３】
さらに、第２回転筒８が回転すると、第２回転筒８は外筒１４とともに光軸方向に移動し、さらに、第１摺動筒１２が第２回転筒８に対して光軸方向に進退する。これにより、第１レンズ枠３０が光軸方向に移動する。
これにより、各レンズ群が光軸方向に移動し、ズーミングが行われる。
【００４４】
また、第１回転筒１０が内側固定筒６に対して回転しながら進退すると、絞り連動リング５０が回転する。この絞り連動リング５０の回転は、腕部５０Ｂを介してカム座４２に伝達される。そして、カム座４２が動輪４６に対して回転するため、絞り羽根４４の中央の開口の径が変更される。
【００４５】
なお、上記の実施形態では、絞り機構が一つの絞り羽根を備えた場合について説明したが、これに限らず、絞り機構が二つの絞り羽根を備えた場合にも本発明を適用することができる。以下、本発明の第２実施形態であるズームレンズ鏡筒について説明する。なお、以下の説明において、第１実施形態と同様の構成については同じ符号を付して、詳細な説明を省略する。
【００４６】
図６及び図７は、第２実施形態のズームレンズ鏡筒を示す光軸に沿った縦断面図であり、図６は広角状態を示し、図７は望遠状態を示す。図６及び図７に示すように、第２実施形態のズームレンズ鏡筒１は、絞り機構１４０及び第３レンズ枠１３４の構成が第１実施形態と異なるものの、その他の構成は第１実施形態と同様である。
【００４７】
図８は、第２実施形態のズームレンズ鏡筒の絞り機構を示す斜視分解図である。図８には、説明のため、第３レンズ枠も示している。図８に示すように、絞り機構１４０は、同心配置され、被写体側から順に並ぶ、絞り連動リング１５０と、第１動輪押え１４８と、第１動輪１４６と、第１絞り羽根１４４と、カム座１４２と、第２動輪押え１３２と、第２動輪１３０と、第２絞り羽根１２８と、を備える。また、第３レンズ枠は、第３レンズ群Ｃの前方のレンズＣ１を保持する前方第３レンズ枠１３４ａと、第３レンズ群Ｃの後方のレンズＣ２を保持する後方第３レンズ枠１３４ｂとが一体となって構成されている。
【００４８】
カム座１４２は、円環状のプレートからなる。カム座１４２は半径方向外側に向かって所定の周方向に傾斜するような複数のカム溝１４２Ａが形成されている。また、カム座４２の外周部には結像側に向かって延びる腕部１４２Ｃが設けられている。カム座１４２は、回動可能に前方第３レンズ枠１３４ａ保持されている。
【００４９】
第１絞り羽根１４４は、周方向に延びる複数の羽根部材１４４Ａを備える。各羽根部材１４４Ａの表面（図８の手前側の面）の周方向の一端には表面突部１４４Ｂが形成されている。各羽根部材１４４Ａは、表面突部１４４Ｂを中心に回動可能に保持されている。また、各羽根部材１４４Ａの裏面には裏面突部１４４Ｃが形成されている。各裏面突部１４４Ｃは、カム座１４２のカム溝１４２Ａ内に配置されている。
【００５０】
第１動輪１４６は、円環状のプレートから構成される。第１動輪１４６には、複数の開口部１４６Ａが形成されており、各開口部１４６Ａには羽根部材１４４Ａの表面突部１４４Ｂが嵌合している。また、第１動輪１４６の表面にはギア１４６Ｂが形成されている。
【００５１】
第１動輪押え１４８は円環状であり、出力軸が裏面に突出するようにステッピングモータ１４８Ａが設けられている。ステッピングモータ１４８Ａの出力軸にはギアが取り付けられており、このギアは第１動輪４６のギア１４６Ｂとかみ合っている。
【００５２】
後方第３レンズ枠１３４ｂの表面には、半径方向外側に向かって所定の周方向に傾斜するような複数のカム溝１３４ｂ１が形成されている。
【００５３】
第２絞り羽根１２８は、周方向に延びる複数の羽根部材１２８Ａを備える。各羽根部材１２８Ａの表面（図８の手前側の面）の周方向の一端には表面突部１２８Ｂが形成されている。各羽根部材１２８Ａは、表面突部１２８Ｂを中心に回動可能に保持されている。また、各羽根部材１２８Ａの裏面には裏面突部１２８Ｃが形成されている。各裏面突部１２８Ｃは、後方第３レンズ枠１３４ｂのカム溝１３４ｂ１内に配置されている。
【００５４】
第２動輪１３０は、円環状のプレートから構成される。第２動輪１３０には、複数の開口部１３０Ａが形成されており、各開口部１３０Ａには羽根部材１２８Ａの表面突部１２８Ｂが嵌合している。また、第２動輪１３０の外周部には、所定の角度間隔をあけて径方向に突出する第１突出部１３０Ｂ及び第２突出部１３０Ｃが形成されている。
第２動輪押え１３２は円環状のプレートからなる。
【００５５】
絞り連動リング１５０は、円環状のプレートからなり、外周に向かってコマ１５０Ａが立設されている。図６及び図７に示すように、絞り連動リング１５０は、第１回転筒１０の前方円筒部１０Ａと中間円筒部１０Ｂとの段状の接続部の前方円筒部１０Ａの後端部（段差部）に配置されている。絞り連動リング１５０は、コマ１５０Ａが、第１回転筒１０の前方円筒部１０Ａの結像側端部に周方向に延びるように形成された横溝１０ｅと、内側固定筒６に光軸方向に傾斜して延びるように形成されたカム溝６ｂに嵌まり込んで保持されている。このため、第１回転筒１０が内側固定筒６に対して回転しながら進退すると、絞り連動リング１５０は第１回転筒１０に対して光軸方向に移動することなく、回転する。
【００５６】
絞り連動リング１５０は結像側に向かって延びる腕部１５０Ｂを備える。腕部１５０Ｂは第２動輪１３０まで延びており、第２動輪１３０の第２突出部１３０Ｃに係合している。また、カム座１４２の腕部１４２Ｃは、第２動輪１３０まで延びており、第２動輪１３０の第１突出部１３０Ｂに係合している。
【００５７】
ズーミング操作時に、ズーム操作リング２２を回転させると、これと連動して第１回転筒１０及び第２回転筒８が回転し、絞り連動リング１５０が回転する。絞り連動リング１５０が回転すると、腕部１５０Ｂを介して第２動輪１３０に回転が伝えられる。第２動輪１３０が回転すると、第２絞り羽根１２８の裏面突部１２８Ｃが後方第３レンズ枠１３４ｂのカム溝１３４ｂ１に沿って移動し、これにより第２絞り羽根１２８の中央の開口の径が変更される。また、第２動輪１３０が回転すると、腕部１４２Ｃを介してカム座１４２に回転が伝えられる。カム座１４２が回転すると、第１絞り羽根１４４の裏面突部１４４Ｃがカム溝１４２Ｂに沿って移動し、これにより第１絞り羽根１４４の中央の開口の径が変更される。
【００５８】
また、撮影時には、シャッターを半押しすると、カメラボディーの受光素子により受光された光量に応じて、ステッピングモータ１４８Ａが駆動し、第１動輪１４６が回転される。これにより、第１絞り羽根１４４の中央の開口の径が変更される。
【００５９】
以上説明したように、上記各実施形態では、絞り連動リング５０、１５０の回転により絞り機構４０，１４０を開閉するため、絞り連動リング５０、１５０を空きスペースに配置することができ、スペースの制約を受けることがなく、また、レンズ群の移動の制約を受けることがない。
【００６０】
また、上記各実施形態では、第１回転筒１０が内側固定筒６の半径方向内側に配置されている。絞り連動リング５０、１５０は、内側固定筒６に対して第１回転筒１０が回転されると回転する。このため、第１回転筒１０は内側固定筒６の半径方向内側に配置されていても、絞り連動リング５０、１５０が回転し、絞り機構４０、１４０を操作することができる。
【００６１】
また、上記各実施形態では、第１回転筒１０は、半径の異なる前方円筒部１０Ａ、中間円筒部１０Ｂ、及び、後方円筒部１０Ｃが段状に接続されてなり、絞り連動リング５０、１５０が、第１回転筒１０の内側の段差部に配置されている。このように、第１回転筒１０の段差部に絞り連動リング５０、１５０を配置することで、空きスペースを有効活用することができる。
【００６２】
また、上記各実施形態では、絞り連動リング５０、１５０は、内側固定筒６に形成されたカム溝６ｂと、第１回転筒１０に形成された横溝１０ｅとに係合するコマ５０Ａを有し、内側固定筒６に対して第１回転筒１０が回転しながら進退することにより、コマ５０Ａがカム溝６ｂ及び横溝１０ｅにより案内されて、絞り連動リング５０、１５０が回転する。このような構成により、カム溝６ｂ及び横溝１０ｅの形状を適宜設計することにより、各ズーム操作状態に応じた適切な絞りを実現できる。
【００６３】
なお、上記実施形態では、内側固定筒６の内側に第１回転筒１０が配置され、第１回転筒１０の内側に絞り連動リング５０、１５０及び絞り機構４０、１４０を配置した場合について説明したが、本発明はこれに限られず、固定筒の外側に回転筒を配置することも可能である。
【００６４】
また、上記実施形態では、第１回転筒１０の横溝１０ｅ及び内側固定筒６のカム溝６ｂに絞り連動リング５０のコマ５０Ａが係合することにより、絞り連動リング５０を回転させていたが、第１回転筒１０に縦溝を形成し、内側固定筒６にカム溝を形成し、これら縦溝及びカム溝にコマを係合させてもよい。
【００６５】
また、上記実施形態では、第１回転筒１０が回転することにより、内側固定筒６に対して進退する構成としているが、これに限らず、第１回転筒が進退しない構成としてもよく、この場合、第１固定筒１０には横溝１０ｅに代えて縦溝を形成すればよい。
【００６６】
また、上記実施形態では、本発明をズームレンズ鏡筒に適用した場合について説明したが、これに限らず、プロジェクター等の投影装置のズームレンズにも適用可能である。
【００６７】
また、上記の第２実施形態では、絞り連動リング１５０の回転が第２動輪１３０に伝えられ、さらに、第２動輪１３０の回転がカム座１４２に伝えられ、第１絞り羽根１４４及び第２絞り羽根１２８を開閉させたが本発明はこれに限られない。例えば、絞り連動リング１５０の回転を、カム座１４２に伝え、カム座１４２の回転を第２動輪１３０に伝える構成や、絞り連動リング１５０の回転を、カム座１４２及び第２動輪１３０にそれぞれ伝えてもよい。
【符号の説明】
【００６８】
１          ズームレンズ鏡筒
２          マウント
４          外側固定筒
４Ａ        後方外側固定筒
４Ｂ        前方外側固定筒
６          内側固定筒
６Ａ        前方円筒部
６Ｂ        後方円筒部
６ａ        カム溝
６ｂ        カム溝
８          第２回転筒
８Ａ        カム溝
８Ｂ        横溝
８Ｄ        コマ
１０        第１回転筒
１０Ａ      前方円筒部
１０Ｂ      中間円筒部
１０Ｃ      後方円筒部
１０ａ      縦溝
１０ｂ      カム溝
１０ｃ      横溝
１０ｄ      カム溝
１０ｅ      横溝
１２        第１摺動筒
１２Ａ      直進コマ
１２Ｂ      コマ
１４        外筒
１４Ａ      直進コマ
１４Ｂ      縦溝
１４Ｃ      コマ
２０        フォーカス操作リング
２２        ズーム操作リング
３０        第１レンズ枠
３２        第２レンズ枠
３２Ａ      コマ
３４        第３レンズ枠
３４Ａ      コマ
３６        第４レンズ枠
３６Ａ      コマ
３８        第５レンズ枠
３８Ａ      コマ
４０        絞り機構
４２        カム座
４２Ａ      カム溝
４２Ｂ      突出部
４４        絞り羽根
４４Ａ      羽根部材
４４Ｂ      表面突部
４４Ｃ      裏面突部
４６        動輪
４６Ａ      開口部
４６Ｂ      ギア
４８        動輪押え
４８Ａ      ステッピングモータ
５０        絞り連動リング
５０Ａ      コマ
５０Ｂ      腕部
１２８      第２絞り羽根
１２８Ａ    羽根部材
１２８Ｂ    表面突部
１２８Ｃ    裏面突部
１３０      第２動輪
１３０Ａ    開口部
１３０Ｂ    第１突出部
１３０Ｃ    第２突出部
１３２      第２動輪押え
１３４      第３レンズ枠
１３４ａ    前方第３レンズ枠
１３４ｂ    後方第３レンズ枠
１３４ｂ１  カム溝
１４０      絞り機構
１４２      カム座
１４２Ａ    カム溝
１４２Ｂ    カム溝
１４２Ｃ    腕部
１４４      第１絞り羽根
１４４Ａ    羽根部材
１４４Ｂ    表面突部
１４４Ｃ    裏面突部
１４６      第１動輪
１４６Ａ    開口部
１４６Ｂ    ギア
１４８      第１動輪押え
１４８Ａ    ステッピングモータ
１５０      絞り連動リング
１５０Ａ    コマ
１５０Ｂ    腕部
Ａ          第１レンズ群
Ｂ          第２レンズ群
Ｃ          第３レンズ群
Ｃ１        レンズ
Ｃ２        レンズ
Ｄ          第４レンズ群
Ｅ          第５レンズ群
【図１】
2020034588.tif 000003
【図２】
2020034588.tif 000004
【図３】
2020034588.tif 000005
【図４】
2020034588.tif 000006
【図５】
2020034588.tif 000007
【図６】
2020034588.tif 000008
【図７】
2020034588.tif 000009
【図８】
2020034588.tif 000010